(57)【要約】【課題】新たに取付のための部品を用意することなく、支柱とベース台を固定する際に足掛リングが取付けられ、しかも支柱が複数あるテーブルに対してもフットレストとして適用可能な足掛リングの取付け装置を提供すること。【解決手段】ベース体８に立設した支柱１０、１２を備えるテーブル１における足掛リング６の取付け装置において、この足掛リング６は、足掛リング体２０と、この足掛リング体２０と一体の取付管１４、１５とで構成され、この取付管１４、１５は支柱１０に外嵌すると共に、これら取付管１４、１４の下端部が、支柱１０内においてベース体８と支柱１０間に挟持されているので、足掛リング６の脱着が容易であり、足掛リング６を取り外した後も取付のための痕跡がなく、通常のテーブル等と外見上の差異がない。【選択図】  図２
2004202030.tif 000002
【特許請求の範囲】
【請求項１】
ベース体に立設した支柱を備えるテーブル等における足掛リングの取付け装置であって、前記足掛リングは、足掛リング体と、該足掛リング体と一体の取付管とで構成され、前記取付管は前記支柱に外嵌すると共に、該取付管の下端部が、前記支柱内においてベース体と支柱間に挟持されていることを特徴とするテーブル等における足掛リングの取付け装置。
【請求項２】
前記取付管の下端部内面には前記支柱の端部を支持すると共にボルト挿通孔が形成されている受座を有し、前記支柱下部には雌ねじ部が螺設され、取付ボルトがベース体下方より前記受座のボルト挿通孔を介して前記支柱下部の雌ねじ部に螺合している請求項１に記載のテーブル等における足掛リングの取付け装置。
【請求項３】
前記支柱を管体で構成し、前記雌ネジ部を管体内面に設けた座金に螺設した請求項２に記載のテーブル等における足掛リングの取付け装置。
【請求項４】
前記テーブル等の支柱が複数で構成され、前記足掛リングが１個の足掛リング体と、前記複数の支柱に外嵌する取付管から成る請求項１ないし３の何れかに記載のテーブル等における足掛リングの取付け装置。
【請求項５】
前記足掛リング体は前記取付管の外周に設けた支持杆を介して取付管に固着されている請求項１ないし４の何れかに記載のテーブル等における足掛リングの取付け装置。
【請求項６】
前記支柱に外嵌した取付管の頂部にキャップシールを止着した請求項１ないし５の何れかに記載のテーブル等における足掛リングの取付け装置。
【発明の詳細な説明】
【０００１】
【発明の属する技術分野】
本発明は、ベース体に立設した支柱を備えるテーブル等における足掛リングの取り付け装置に関する。
【０００２】
【従来の技術】
例えば、大型の図面を描く場合等の作業性向上のために、椅子の座部下方に足掛け体を設けることは、特許文献１あるいは特許文献２に記載されているように既に知られていた。
【０００３】
【特許文献１】
特開平９−２８５３６１号公報（第２−３頁、図１、２）
【特許文献２】
実公平６−２５１６２号公報（第２頁、図１）
【０００４】
【発明が解決しようとする課題】
上記特許文献１に記載のものは、支柱下部のベース体に相当する複数の脚杆に支持具をそれぞれ立設し、これら支持具に足掛板を着脱可能に架設したもので、足掛板が不要の時は支持具を脚杆から取外して通常の椅子として使用できるので便利であった。しかしながら、複数の脚杆に一つずつ支持部が取付けられているから、足掛板の着脱作業が繁雑であるばかりでなく、部品点数も多くなりコスト高であった。
【０００５】
一方、上記特許文献２に記載したものは、支柱に足掛リングを取り付けるようにしたものであるから、特許文献１記載の発明の如く多くの支持具を必要としないが、それでも足掛リングを支柱に取付けるために支持筒や受筒、及び回り止めネジ等を必要とし、しかも足掛リングの取付筒内面と支柱の脚筒外面間で支持筒と受筒を強力に圧接して足掛リングのがたつきを防止しているので、足掛リングを取外して通常の椅子として使用する場合には取外しが面倒となり、また回り止めネジが露出して見栄えがよいものとはいえなかった。
【０００６】
本発明は、このような状況に鑑みてなされたもので、新たに取付のための部品を用意することなく、支柱とベース台を固定する際に足掛リングが取付けられ、しかも支柱が複数あるテーブルに対してもフットレストとして適用可能な足掛リングの取付け装置を提供することを目的とするものである。
【０００７】
【課題を解決するための手段】
上記課題を解決するために、本発明のテーブル等における足掛リングの取付け装置は、ベース体に立設した支柱を備えるテーブル等における足掛リングの取付け装置であって、前記足掛リングは、足掛リング体と、該足掛リング体と一体の取付管とで構成され、前記取付管は前記支柱に外嵌すると共に、該取付管の下端部が、前記支柱内においてベース体と支柱間に挟持されていることを特徴としている。
この特徴によれば、取付管の下端部がベース体と支柱に挟持されているだけなので足掛リングの脱着が容易であり、しかも支柱内で挟持されているので足掛リングを取り外した後も取付のための痕跡は残らず、通常のテーブル等と外見上の差異がない。
【０００８】
本発明のテーブル等における足掛リングの取付け装置において、前記取付管の下端部内面には前記支柱の端部を支持すると共にボルト挿通孔が形成されている受座を有し、前記支柱下部には雌ねじ部が螺設され、取付ボルトがベース体下方より前記受座のボルト挿通孔を介して前記支柱下部の雌ねじ部に螺合していることが好ましい。
このようにすれば、取付ボルトの締め付けだけで足掛リングが受座を介して強固に取付けられ、逆に取付ボルトを緩めるだけで、簡単に足掛リングを取り外すことができる。
【０００９】
本発明のテーブル等における足掛リングの取付け装置において、前記支柱を管体で構成し、前記雌ネジ部を管体内面に設けた座金に螺設することが好ましい。
このようにすれば、支柱の軽量化が図れる。
【００１０】
本発明のテーブル等における足掛リングの取付け装置において、前記テーブル等の支柱が複数で構成され、前記足掛リングが１個の足掛リング体と、前記複数の支柱に外嵌する複数の取付管から成ることが好ましい。
このようにすれば、支柱が複数あるテーブルに対してもフットレストとして適用可能である。
【００１１】
本発明のテーブル等における足掛リングの取付け装置において、前記足掛リング体は前記取付管の外周に設けた支持杆を介して取付管に固着されていることが好ましい。
このようにすれば、支持杆により足掛リング体と取付管が一体化できるので、足掛リングの軽量化と強度向上が図れる。
【００１２】
本発明のテーブル等における足掛リングの取付け装置において、前記支柱に外嵌した取付管の頂部にキャップシールを止着することが好ましい。
このようにすれば、取付管と支柱間の隙間にゴミや水分が侵入するのを防げる。
【００１３】
【発明の実施の形態】
本発明の実施形態について図面を参照して説明する。
【００１４】
図１は本発明の一実施形態に係る足掛リングを取付けたテーブルの斜視図、図２は足掛リングを取付けたテーブルの分解斜視図、図３は足掛リングが取付けられる支柱の部分拡大断面図であり、図４は支柱とベース体の取付部を示す部分拡大断面図である。
【００１５】
図１、図２に示す符号１はテーブルであって、このテーブル１は、横長形状に形成された天板２と、この天板２を支持すべく円板状のベース体８上に立設保持された２本の支柱１０，１２と、これら２本の支柱１０，１２にその下方で水平に取付けられた足掛リング６とから構成されている。
【００１６】
足掛リング６は、足掛リング体２０と、この足掛リング体２０に取付けられた一対の支持杆１６ａ，１６ｂ及び１８ａ，１８ｂを介して一体に構成されている取付管１４，１５とから成り、これら取付管１４，１５は好ましくは管体で構成されている支柱１０，１２の下方にそれぞれ外嵌し、ネジ結合により支柱１０，１２とベース体８に挟持されている。
【００１７】
更に詳述すると、図３，４に示すように、支柱１０，１２の下部には、その下端部から若干内側に位置して略中央に雌ねじ部２４ａが螺設された座金２４が溶接等で接合されており、取付管１４，１５の下端部内面には、略中央にボルト挿通孔２２ａを形成した板状の受座２２が溶接等で接合されている。
【００１８】
次に、上記のように構成された足掛リングの取付け装置の組立手順に付き図２〜図４を参照して説明する。
【００１９】
先ず、天板２の下面に取付けられた一対の支柱１０，１２の下端部より、一対の取付管１４，１５をそれらの頂部に止着されたキャップシールＳを伴って外嵌させる。
【００２０】
これにより支柱１０，１２の下端は、取付管１４，１５下端の受座２２上面に当接すると共に、受座２２の略中央に形成されたボルト挿通孔２２ａは、支柱１０，１２下端の座金２４中央に形成された雌ねじ部２４ａと一致する。
【００２１】
そこで、図４に示すように、取付管１４，１５の下端をベース体８の略中央に当接させた状態で、取付ボルトＢをベース体８の中央の挿通孔８ａを介して下方より受座２２のボルト挿通孔２２ａに挿通し、座金２４の雌ねじ部２４ａに螺合することで、支柱１０，１２がベース体８に結合されると同時に、支柱１０，１２に外嵌した取付管１４，１５がそれぞれベース体８と支柱１０，１２に挟持されて一体化される。
【００２２】
従って、上記のように構成された足掛リングの取付け装置によれば、ベース体８と支柱１０，１２とが取付ボルトＢによる結合時に、取付管１４，１５の下端部がベース体８と支柱１０，１２に挟持されるので、足掛リング６の脱着が容易であり、足掛リング６を取り外した後も取付のための痕跡が残らず、通常のテーブルと外見上の差異がない。
【００２３】
また、取付管１４，１５の下端部内面には支柱１０，１２の端部を支持すると共にボルト挿通孔２２ａを形成した受座２２を有し、支柱１０，１２の下部には雌ねじ部２４ａが螺設され、取付ボルトＢが、ベース体８下方より受座２２のボルト挿通孔２２ａを通して支柱１０，１２下部の雌ねじ部２４ａに螺合する構成となっているので、取付ボルトＢの締め付けだけで足掛リング６が受座２２を介して強固に取付けられ、逆に取付ボルトＢを緩めるだけで、簡単に足掛リング６を取り外すことができる。
【００２４】
更に、支柱１０，１２を管体で構成し、雌ネジ部２４ａを管体内面に設けた座金２４に螺設した構成とすることで、支柱１０，１２の軽量化を図ることができる。
【００２５】
そして、テーブル１等の支柱１０，１２が複数で構成され、足掛リング６を、１個の足掛リング体２０と、複数の支柱１０，１２に外嵌する複数の取付管１４，１５から構成することで、支柱１０，１２が複数あるテーブル１に対してもフットレストとして適用可能となる。
【００２６】
そしてまた、足掛リング体２０は、取付管１４，１５の外周に設けた支持杆１６ａ，１６ｂ及び１８ａ，１８ｂを介して取付管１４，１５に固着された構成となっているので、これら支持杆１６ａ，１６ｂ及び１８ａ，１８ｂにより足掛リング体２０と取付管１４，１５が一体化できるので、足掛リング６の軽量化と強度向上が図れる。
【００２７】
更に、支柱１０，１２に外嵌した取付管１４，１５の頂部にはキャップシールＳが止着されるので、取付管１４，１５と支柱１０，１２間に形成される隙間にゴミや水分が侵入するのを防ぐことができる。
【００２８】
尚、上記の実施形態では、天板２を支持する一対の取付管１４，１５に足掛リング体２０を取付けた例に付き説明したが、足掛リング体２０を、天板２を支持する取付管単体毎にそれぞれ設けることも可能である。またテーブルの支柱に限らず椅子の脚柱にも本発明の足掛けリングが適用できることは言うまでもない。
【００２９】
【発明の効果】
本発明は以下の効果を奏する。
【００３０】
（ａ）請求項１項の発明によれば、取付管の下端部がベース体と支柱に挟持されているだけなので足掛リングの脱着が容易であり、しかも支柱内で挟持されているので足掛リングを取り外した後も取付のための痕跡は残らず、通常のテーブル等と外見上の差異がない。
【００３１】
（ｂ）請求項２項の発明によれば、取付ボルトの締め付けだけで足掛リングが受座を介して強固に取付けられ、逆に取付ボルトを緩めるだけで、簡単に足掛リングを取り外すことができる。
【００３２】
（ｃ）請求項３項の発明によれば、支柱の軽量化が図れる。
【００３３】
（ｄ）請求項４項の発明によれば、支柱が複数あるテーブルに対してもフットレストとして適用可能である。
【００３４】
（ｅ）請求項５の発明によれば、支持杆により足掛リング体と取付管が一体化できるので、足掛リングの軽量化と強度向上が図れる。
【００３５】
（ｆ）請求項６の発明によれば、取付管と支柱間の隙間にゴミや水分が侵入するのを防げる。
【図面の簡単な説明】
【図１】本発明の一実施形態に係る足掛リングを取付けたテーブルの斜視図である。
【図２】足掛リングを取付けたテーブルの分解斜視図である。
【図３】足掛リングが取付けられる支柱の部分拡大断面図である。
【図４】支柱とベース体の取付部を示す部分拡大断面図である。
【符号の説明】
１                    テーブル
２                    天板
６                    足掛リング
８                    ベース体
８ａ                  挿通孔
１０，１２            支柱
１４，１５            取付管
１６ａ，１６ｂ        支持杆
１８ａ，１８ｂ        支持杆
２０                  足掛リング体
２２                  受座
２２ａ                ボルト挿通孔
２４                  座金
２４ａ                雌ネジ部
Ｂ                    取付ボルト
Ｓ                    キャップシール
【図１】
2004202030.tif 000003
【図２】
2004202030.tif 000004
【図３】
2004202030.tif 000005
【図４】
2004202030.tif 000006